(57)【要約】【課題】次にトリガー容器を使用する際に、混合されたばかりの混合液を、初期の段階から十分に混合された状態で吐出することのできる２液混合トリガー容器を提供する。【解決手段】内容液を収容した容器本体１２に内容液の送出し機構が取り付けられた単位容器１１ａ，１１ｂが、２体並設されており、トリガー部１３の引寄せ操作によって、各々の容器本体１２から送出し流路部１５を介して内容液を同時に送り出して、混合した後にノズル部１４から吐出させる２液混合トリガー容器１０であって、各々の単位容器１１ａ，１１ｂの送出し流路部１５の縦方向流路１６に送り出された内容液が、横方向流路１７に設けられた合流部１８で合流し、混合流路部１９で混合されてノズル部１４から吐出されるようになっており、各々の単位容器１１ａ，１１ｂの送出し流路部１５から合流部１８への流入口２０に、逆止弁２１が設けられている。【選択図】図４
2014129119.tif 000002
【特許請求の範囲】
【請求項１】
内容液を収容した容器本体に内容液の送出し機構が取り付けられた単位容器が、２体並設されており、トリガー部の引寄せ操作によって各々の容器本体から送出し流路部を介して内容液を同時に送り出して、混合した後にノズル部から吐出させる２液混合トリガー容器であって、
各々の前記単位容器の前記送出し流路部の縦方向流路に送り出された内容液が、横方向流路に設けられた合流部で合流し、混合流路部で混合されてノズル部から吐出されるようになっており、
各々の前記単位容器の前記送出し流路部から前記合流部への流入口に、逆止弁が設けられている２液混合トリガー容器。
【請求項２】
前記合流部及び前記混合流路部の容積の合計が、前記トリガー部による１回の引寄せ操作で各々の前記送出し流路部を介して送り出される内容液の容積の合計の、４０〜１００％の容積となっている請求項１記載の２液混合トリガー容器。
【請求項３】
２体並設された前記単位容器の前記容器本体に、第１剤と第２剤が内容液として各々収容されており、第１剤と第２剤は、混合した状態で同時に保管すると分離、反応等が生じ、混合した状態で同時に保管することが困難な剤の組合せとなっている請求項１又は２記載の２剤混合トリガー容器
【請求項４】
２体並設された前記単位容器の前記容器本体に、粘度の異なる内容液が各々収容されている請求項１〜３のいずれか１項記載の２剤混合トリガー容器
【請求項５】
各々の前記送出し流路部の前記縦方向流路の中空断面積の合計よりも、前記混合流路部の中空断面積の方が小さくなっている請求項１〜４のいずれか１項記載の２液混合トリガー容器。
【請求項６】
前記合流部の中空断面積よりも、前記混合流路部の中空断面積の方が小さくなっており、前記合流部と前記混合流路部との間に段差部が形成されている請求項１〜５のいずれか１項記載の２液混合トリガー容器。
【請求項７】
前記混合流路部の先端部がスピンエレメントと連通しており、混合された内容液は、該スピンエレメントを通過して前記ノズル部から吐出されるようになっている請求項１〜６のいずれか１項記載の２液混合トリガー容器。
【発明の詳細な説明】
【技術分野】
【０００１】
本発明は、２液混合トリガー容器に関し、特に、内容液を収容した容器本体に内容液の送出し機構が取り付けられた単位容器が、２体並設されている２液混合トリガー容器に関する。
【背景技術】
【０００２】
従来より、容器本体に収容された内容液を汲み上げて、好ましくは発泡状態や噴霧状態でノズル部から吐出させる容器として、トリガースプレーヤー式のトリガー容器が知られている。トリガー容器は、周知のように、容器本体の口部にトリガースプレーヤーが装着された吐出容器であり、トリガー部の引寄せ操作を繰り返し行うことで、シリンダー内の空気を排出しつつ吸上げチューブを介して内容液を吸い上げ、吸い上げた内容液を送出し機構によって送出し流路部の縦方向流路に送り出し、さらに横方向流路を通過させた後に、好ましくはスピンエレメントを介してノズル部から内容液を吐出させるようになっている。
【０００３】
また、トリガー容器として、併設させた２体の容器本体に収容された内容液を各々吸い上げて、混合室で混合させた後に、混合させた内容液を、送出し流路部の縦方向流路及び横方向流路を通過させて、ノズル部から吐出させるようにした、２液混合式のトリガー容器も開発されている（例えば、特許文献１参照）。２液混合式のトリガー容器によれば、例えば、２体の容器本体に収容された内容液が、互いに反応し合うものである場合に、保管時等にはこれらの内容液を別々に収容して反応による劣化を防止すると共に、使用時にこれらの内容液を混合することで反応させた状態で、吐出させるようになっている。
【先行技術文献】
【特許文献】
【０００４】
【特許文献１】特開平８−２２９４６８号公報
【特許文献２】特開平８−８４９４６号公報
【発明の概要】
【発明が解決しようとする課題】
【０００５】
しかしながら、上記従来の２液混合式のトリガー容器では、併設させた２体の容器本体から吸い上げた内容液を混合させる混合室は、トリガーの引寄せ操作によってピストンを摺動させるシリンダー部との連通口よりも上流側の、送出し流路部における縦方向流路の基端部分に設けられているので、例えばトリガー容器を使用してから、次にトリガー容器を使用するまでの間は、前回の使用時に混合された混合液が、混合室よりも下流側の、送出し流路部やシリンダー部の内部に残って滞留したままの状態となる。このため、次にトリガー容器を使用するまでに例えば１日〜数日程度の長い期間が経過すると、滞留した混合液は、反応が進行して劣化することになるので、次にトリガー容器を使用する際には、トリガーの引寄せ操作を繰り返し行って内容液を吐出させる初期の段階では、劣化した混合液しか吐出されなくなって、混合した内容液による例えば洗浄効果等が十分に得られなくなると共に、内容液を無駄に消費することになる。
【０００６】
一方、併設させた２体の容器本体から各々吸い上げた内容液を、例えば一対の管路を介して別々に送り出して、近接配置した一対のノズル孔から別々に噴出させると共に、噴出と同時に内容液を混合させるようにした２液混合スプレー容器も開発されているが（例えば、特許文献２参照）、内容液の種類によっては、混合が十分になされない場合がある。特に内容液の粘稠性（粘度）の差が大きいとその影響は顕著である。
【０００７】
本発明は、内部に滞留する混合液の量を低減して、次にトリガー容器を使用する際に、混合されたばかりの混合液を、好ましくは引寄せ操作２回目から吐出させることができると共に、混合液を、十分に混合し、反応させた状態で吐出することのできる２液混合トリガー容器を提供することを目的とする。
【課題を解決するための手段】
【０００８】
本発明は、内容液を収容した容器本体に内容液の送出し機構が取り付けられた単位容器が、２体並設されており、トリガー部の引寄せ操作によって各々の容器本体から送出し流路部を介して内容液を同時に送り出して、混合した後にノズル部から吐出させる２液混合トリガー容器であって、各々の前記単位容器の前記送出し流路部の縦方向流路に送り出された内容液が、横方向流路に設けられた合流部で合流し、混合流路部で混合されてノズル部から吐出されるようになっており、各々の前記単位容器の前記送出し流路部から前記合流部への流入口に、逆止弁が設けられている２液混合トリガー容器を提供することにより、上記目的を達成したものである。
【発明の効果】
【０００９】
本発明の２液混合トリガー容器によれば、内部に滞留する混合液の量を低減して、次にトリガー容器を使用する際に、混合されたばかりの混合液を、好ましくは引寄せ操作２回目から吐出させることができると共に、混合液を、十分に混合し、反応させた状態で吐出することができる。
【図面の簡単な説明】
【００１０】
【図１】本発明の好ましい一実施形態に係る２液混合トリガー容器の略示斜視図である。
【図２】本発明の好ましい一実施形態に係る２液混合トリガー容器のトリガースプレーヤーのカバー体を取り外した状態の略示斜視図である。
【図３】本発明の好ましい一実施形態に係る２液混合トリガー容器のトリガースプレーヤーの、図１のＡ−Ａに沿った断面図である。
【図４】本発明の好ましい一実施形態に係る２液混合トリガー容器のトリガースプレーヤーの、図１のＢ−Ｂに沿った断面図である。
【図５】（ａ）はトリガースプレーヤーの要部略示斜視図、（ｂ）は（ａ）をＣ−Ｃに沿って切り欠いた状態で示す要部略示斜視図である。
【図６】図５（ａ）のＤ−Ｄに沿って切り欠いた状態で示す、合流部及び混合流路部の略示斜視図である。
【図７】合流部を後方から見た斜視図である。
【図８】（ａ）は合流部を前方から見た斜視図、（ｂ）は逆止弁を取り付けた状態の合流部を前方から見た斜視図である。
【図９】泡比容の評価結果を示すチャートである。
【発明を実施するための形態】
【００１１】
図１に示す本発明の好ましい一実施形態に係る２液混合トリガー容器１０は、内容液である第１剤として、例えば過酸化水素を含む漂白剤を容器本体１２に収容した第１単位容器１１ａと、内容液である第２剤として、例えば水酸化ナトリウムを含むアルカリ剤を容器本体１２に収容した第２単位容器１１ｂとを併設して、一箇所のトリガー部１３の引寄せ操作を繰り返すことで、各々の容器本体１２から吸上げチューブ２６を介して吸い上げた内容液を同時に送り出し、混合させた状態で一箇所のノズル部１４から、好ましくは発泡状態や噴霧状態で吐出させるものである。本実施形態の２液混合トリガー容器１０は、使用する毎に、トリガー部１３を繰り返し引寄せ操作する初期の段階から、混合させたばかりの混合液をスムーズに吐出させて、２液が反応することによる優れた漂白機能等が、効果的に発揮されるようにする機能を備える。
【００１２】
そして、本実施形態の２液混合トリガー容器１０は、図１〜図３（ａ）、（ｂ）に示すように、内容液を収容した容器本体１２に内容液の送出し機構が取り付けられた単位容器１１ａ，１１ｂが、２体並設されており、トリガー部１３の引寄せ操作によって、各々の容器本体１２から送出し流路部１５（図３（ｂ）参照）を介して内容液を同時に送り出して、混合した後にノズル部１４から吐出させるトリガー容器であって、各々の単位容器１１ａ，１１ｂの送出し流路部１５の縦方向流路１６（図３（ｂ）参照）に送り出された内容液が、横方向流路１７（図３（ｂ）参照）に設けられた合流部１８で合流し、混合流路部１９で混合されてノズル部１４から吐出されるようになっており、図５に示すように、各々の単位容器１１ａ，１１ｂの送出し流路部１５から合流部１８への流入口２０に、逆止弁２１が設けられている。
【００１３】
また、本実施形態では、合流部１８及び混合流路部１９の全体の容積（容積の合計）が、トリガー部１３による１回の引寄せ操作で各々の送出し流路部１５を介して送り出される内容液の容積の合計の、好ましくは４０〜１００％の容積となっている。
【００１４】
本実施形態では、単位容器１１ａ，１１ｂを構成する容器本体１２は、図１に示すように、各々、合成樹脂製のブロー成形品であって、下半部分がノズル部１４による吐出方向Ｘに膨出した偏平な有底の胴部１２ａと、胴部１２ａの上端部から上方に突出して設けられた、略半円の断面形状を有する首部１２ｂと、首部１２ｂの上面部からさらに上方に突出して設けられた、トリガースプレーヤー２２が装着される連結口部１２ｃとを含んで形成される。一対の容器本体１２は、略半円形の断面形状を有する一対の首部１２ｂを、平坦な側面を重ね合わせて略円形の断面形状となるように配置した状態で、胴部１２ａ及び首部１２ｂの側面同士を好ましくは密着させることで、一体となった並設本体部２３を形成する。更に、好ましくは、並設本体部２３の周囲にシュリンクフィルム、あるいはストレッチラベル等を巻き付けることによって、一対の容器本体１２を、外観を向上させると共により安定した状態で、並設本体部２３として一体化することが可能になる。
【００１５】
並設本体２３として一体化された一対の容器本体１２には、一対の連結口部１２ｃに、連結流路部３６ａと連結装着部３６ｂとからなる連結流路部材３６を介して、一対の連結円筒部２４が各々装着接続される。これによって、内容液の送出し機構が設けられたトリガースプレーヤー２２が並設本体２３に一体として取り付けられて、第１単位容器１１ａと第２単位容器１１ｂとが並設された本実施形態の２液混合トリガー容器１０が形成される。なお、本実施形態では、トリガースプレーヤー２２の外周部分を覆ってカバー体２５が取り付けられている。
【００１６】
トリガースプレーヤー２２は、トリガー部１３の引寄せ操作を繰り返し行うことで、吸上げチューブ２６を介して一対の容器本体１２から各々吸い上げた内容液を、一対の送出し機構によって送出し流路部１５（図４参照）に各々送り出し、送出し流路部１５に送り出した内容液を混合させた状態で、ノズル部１４から吐出させる機能を備える。トリガースプレーヤー２２は、カバー体２５を取り外した状態で示す図２〜図４に示すように、内部に吸入バルブ２７（図４参照）が設けられた一対の連結円筒部２４と、各々の連結円筒部２４と連通して上方に延設して設けられた一対の送出し流路部１５と、各々の送出し流路部１５の連結円筒部２４との接合基端部分に一体接合されて、送出し流路部１５からノズル部１４による吐出方向Ｘに張り出すように突出して設けられた一対の円筒形状のシリンダー部２８と、一対の送出し流路部１５の横方向流路１７に接合されて設けられた合流部１８と、合流部１８と連通してノズル部１４による吐出方向Ｘに延設して設けられた混合流路部１９とを含んで構成されている。
【００１７】
トリガースプレーヤー２２は、さらに、図２に示すように、合流部１８の基盤プレート部１８ａの両側の上部隅部分からノズル部１４による吐出方向Ｘに張り出して設けられた、一対の張出し支持部１８ｂに支持させて、天面部支持盤２９を備えている。天面部支持盤２９は、混合流路部１９の上方を覆うようにさらに吐出方向Ｘに張り出して設けられている。天面支持盤部２９は、縦長矩形の平面形状を備えており、その合流部１８側の部分を、両側の張出し支持部１８ｂの上に載置すると共に、基盤プレート部１８ａの上縁部から吐出方向Ｘに張り出して設けられた押えプレート１８ｃによって上面が押え付けらることで、張出し支持部１８ｂと押えプレート１８ｃとの間に挟み込まれて、安定した張出し状態で設けられることになる。
【００１８】
天面支持盤２９の両側の長辺部分には、トリガー部１３が回転可能に接合されるピン係合部２９ａが、各々設けられている。これらのピン係合部２９ａに、トリガー部１３の上端部から両側に突出して設けられたピン突起１３ａを係合することで、トリガー部１３を、天面支持盤２９によって、上端部のピン突起１３ａを中心に回動可能に支持できるようになっている。また、天面支持盤２９の両側の長辺部分には、当該長辺部分の吐出方向Ｘの先端側部分に一端部を接合して、円弧形状に下方に延設する板バネ部３０が、各々取り付けられている。これらの一対の板バネ部３０の他端部は、トリガー部１３の上部トリガー部１３ｂの両側の下端部側面に設けられた接合台１３ｄに各々接合されている。これによって、トリガー部１３を連結円筒部２４側に引き寄せて、シリンダー部２８にピストン部３１を押し込む引寄せ操作を行った際に、板バネ部３０によって、トリガー部１３を元の状態に戻してピストン３１を引き出す弾性付勢力を生じさせることになる。
【００１９】
トリガー部１３は、本実施形態では、横幅が大きい上部トリガー部１３ｂと、横幅が上部トリガー部１３ｂよりも小さい下部トリガー部１３ｃとからなり、全体として吐出方向Ｘの前面側を緩やかな凹状に湾曲させた形状を備えている。上部トリガー部１３ｂの上端部には、上縁部分を下方に切り欠いて、括れ部１３ｅが形成されている。これによって、トリガー部１３を、混合流路部１９と干渉させることなく天面支持盤部２９に回転可能に取り付けることが可能になる。また、上部トリガー部１３ｂには、上述のように、板バネ部３０の他端部が接合される接合台１３ｄが両側の下端部側面に各々設けられていると共に、下端部分の裏面側に、第１単位容器１１ａと第２単位容器１１ｂの送出し機構の一部を構成するピストン部３１のロッド部３１ａが、各々接合されている。下部トリガー部１３ｂは、一対のピストン部３１が接合された上部トリガー部１３ａの下端部からさらに下方に延設して設けられた、トリガー部１３の略下半分の部分であり、上部トリガー部１３ａよりも横幅が小さくなっていることにより、手の指を係止し易くして、トリガー部１３を繰り返し引寄せ操作する際の操作性を向上させる。
【００２０】
本実施形態では、第１単位容器１１ａや第２単位容器１１ｂに設けられた内容液の送出し機構は、図４に示すように、各々の連結円筒部２４の内部に設けられた吸入バルブ２７と、各々の連結円筒部２４と連通して設けられた、縦方向流路１６及び横方向流路１７からなる送出し流路部１５と、各々の送出し流路部１５の縦方向流路１６と連通口３２を介して連通する、円筒形状のシリンダー部２８と、トリガー部１３の引寄せ操作によって、各々のシリンダー部２８の内周面に沿ってピストン本体３１ｂを前後に摺動させる、ピストン本体３１ｂ及びロッド部３１ａからなるピストン部３１によって構成される。
【００２１】
すなわち、送出し機構は、第１単位容器１１ａや第２単位容器１１ｂにおいて、従来のトリガースプレーヤー式のトリガー容器と略同様に、トリガー部１３の引寄せ操作を繰り返し行うことで、シリンダー部２８の内部及びこれと連通する送出し流路部１５の内部を、ピストン部３１の摺動によって加圧状態にしたり、負圧状態にすることによって、吸入バルブ２７を開閉しながら、シリンダー部２８の内部の空気を排出すると共に、吸上げチューブ２６を介して内容液を各々の容器本体１２から吸い上げ、吸い上げた内容液をシリンダー部２８の内部に送り込み、さらに送り込んだ内容液をシリンダー部２８から連通口３２を介して、送出し流路部１５の縦方向流路１６や横方向流路１７に送り出すことができるようになっている。
【００２２】
そして、本実施形態では、一対の送出し流路部１５を介して送り出された各々の内容液は、一対の横方向流路１７と接続して設けられた合流部１８において合流することで混合状態となり、混合状態となった混合液は、混合流路部１９に送り出されてさらに混合された後に、スピンエレンメント部３３を介してノズル部１４から吐出される。
【００２３】
合流部１８は、本実施形態では、図５〜図８（ａ）、（ｂ）に示すように、略横長矩形形状の基板部１８ａと、基板部１８ａから吐出方向Ｘの後方に延設して設けられた一対の接続スリーブ部１８ｄと、基板部１８ａから吐出方向Ｘの前方に突出して設けられた合流本体部３４とを備えている。接続スリーブ部１８ｄは、横方向流路１７の外周断面形状と同様の内周断面形状を備える円筒形状の部分であって、これらの接続スリーブ部１８ｄには、第１単位容器１１ａや第２単位容器１１ｂの横方向流路１７が嵌め込むようにして接合される。
【００２４】
合流本体部３４は、基板部１８ａから背の低い円筒形状に突出する周壁部３４ａと、周壁部３４ａの先端面を閉塞する端面壁部３４ｂと、端面壁部３４ｂの中央部分に横長の合流溝３４ｃを形成するコの字断面形状の溝壁部３４ｄとからなる。合流溝３４ｃの両端部分は、拡径した略円形輪郭部分３４ｅとなっており、これらの両側の略円形輪郭部分３４ｅに、各々の単位容器１１ａ，１１ｂの送出し流路部１５の横方向流路１７から、合流部１８の合流溝３４ｃへの流入口２０が開口している（図６、図８（ａ）参照）。これらの流入口２０は、基板部１８ａの後面側においては、各々の接続スリーブ部１８ｄの内側の、互いに近接する側の縁部に開口している（図６、図７参照）。
【００２５】
また、合流部１８は、横方向流路１７を接続スリーブ部１８ｄに、横方向流路１７の先端と基板部１８ａの後面との間に隙間を保持した状態で、各々接合させるようになっている（図６参照）。横方向流路１７の先端と基板部１８ａの後面との間に隙間が保持されることで、基板部１８ａの後面側において、各々の接続スリーブ部１８ｄの内側の縁部に開口する流入口２０が、横方向流路１７の先端面によって閉塞されるのを回避して、内容液が、各々の横方向流路１７から流入口２０を介して、合流溝３４ｃにスムーズに流れ込むようにすることが可能になる。
【００２６】
さらに、本実施形態では、合流本体部３４の合流溝３４ｃの両端部分の略円形輪郭部分３４ｅには、流入口２０を開閉することが可能な、逆止弁２１が取り付けられている（図６、図８（ｂ）参照）。逆止弁２１は、本実施形態では、混合流路部１９の装着スカート部１９ａが合流本体部３４の周壁部３４ａ及び端面壁部３４ｂを覆って合流部１８に装着固定されて、混合流路部１９が合流部１８に一体として接合された状態で、例えば一端部を装着スカート部１９ａの円板部１９ｃの内側面に接合して支持させると共に、他端部を進退可能に弾性変形させることが可能な状態で取り付けられる。これによって、逆止弁２１は、横方向流路１７が加圧状態になった際に、各々の流入口２０を開放して、内容液を合流部１８の合流本体部３４の合流溝３４ｃに流入させると共に、横方向流路１７が負圧状態になった際に、各々の流入口２０を閉塞して、混合液が合流溝３４ｃから横方向流路１７に逆流するのを、遮断できるようになっている。なお、この逆支弁２１は、従来のトリガースプレーヤー式のトリガー容器で用いる排出弁と同様の機能を備えるものである。
【００２７】
混合流路部１９は、本実施形態では、装着スカート部１９ａと流路本体部１９ｂとからなる。装着スカート部１９ａは、合流本体部３４の端面壁部３４ｂと略同様の平面形状を有する円板部１９ｃと、円板部１９ｃの周縁部に一体として接合される、合流本体部３４の周壁部３４ａの外周断面形状と同様の内周断面形状を有する背の低い円筒形状のスカート壁部１９ｄとからなる。流路本体部１９ｂは、装着スカート部１９ａの円板部１９ｃの中央部分から突出して、前方に延設して設けられた細長い円筒状の部分である。周壁部３４ａ及び端面壁部３４ｂを前方から覆って装着スカート部１９ａを合流本体部３４に装着固定することで、流路本体部１９ｂをノズル部１４による吐出方向Ｘに延設させた状態で、混合流路部１９が合流部１８に一体として接合される。混合流路部１９の先端側部分には、スピンエレンメント部３３とノズル部１４とが一体として接合される。
【００２８】
スピンエレンメント部３３は、図５（ａ）、（ｂ）に示すように、混合流路部１９の流路本体部１９ｂと連通口３３ａを介して連通して、流路本体部１９ｂから送られる混合液に旋回流を生じさせる公知の機能を備えるものである。スピンエレンメント部３３は、好ましくは当該スピンエレンメント部３３の先端部分に一体として連設配置されたノズル部１４との間の隙間部分で、混合液を空気と混合した後に、ノズル部１４の吐出口１４ａから吐出させて、吐出される混合液を、発泡状態や噴霧状態とすることができるようになっている。スピンエレンメント部３３は、本実施形態では、装着スリーブ部３３ｂと、支持板部３３ｃと、エレンメント本体部３３ｄとからなる。混合流路部１９の流路本体部１９ｂの先端側部分を、装着スリーブ部３３ｂに、流路本体部１９ｂの先端が支持板部３３ｃの後面に当接するまで挿入することで、混合流路部１９に、スピンエレンメント部３３とノズル部１４とが一体として接合される。
【００２９】
ここで、本実施形態の２液混合トリガー容器１０では、合流部１８及び混合流路部１９の容積（合流部１８の合流溝３４ｃによる合流空間の容積と、混合流路部１９の流路本体部１９ｂによる流路空間の容積との合計の容積）が、トリガー部１３による１回の引寄せ操作で各々の送出し流路部１５を介して送り出される内容液の容積の合計（トリガー部１３による１回の引寄せ操作によって各々の単位容器１１ａ，１１ｂのシリンダー部２８の内部でピストン部３１のピストン本体３１ｂが摺動することで減少したシリンダー部２８の中空内部の減少容積の合計）の、４０〜１００％の容積となっている。
【００３０】
合流部１８及び混合流路部１９の容積の合計が、トリガー部１３による１回の引寄せ操作で各々の送出し流路部１５を介して送り出される内容液の容積の合計の４０％以上となっていることにより、トリガー部１３による引寄せ操作によって、各々の容器本体１２から送り出された第１剤と第２剤を、合流部１８で合流させた後に、混合流路部１９において、２液が反応することで優れた漂白機能等を発揮できるように十分に混合させた状態で、ノズル部１４から吐出させることが可能になる。１００％以下の容積となっていることにより、前回の容器１０の使用時から相当の期間が経過した後に、再度容器１０を使用する際に、好ましくはトリガー部１３の最初の１回目の引寄せ操作によって、合流部１８及び混合流路部１９の内部に残って滞留したままの状態となっている、前回の使用時に混合されて反応が進行していることで劣化している混合液を、容易に吐出させることが可能になり、これによって、混合されたばかりの混合液を、例えば２回目の引寄せ操作以降の初期の段階から、スムーズに吐出させることが可能になる。
【００３１】
また、本実施形態の２液混合トリガー容器１０では、各々の送出し流路部１５の縦方向流路１６の中空断面積の合計よりも、混合流路部１９の流路本体部１９ｂの中空断面積の方が小さくなっている。各々の送出し流路部１５の縦方向流路１６の中空断面積の合計よりも、混合流路部１９の流路本体部１９ｂの中空断面積の方が小さくなっていることにより、混合部での流速を上昇させて、第１剤と第２剤が混合されて反応するのをより促進することが可能になる。
【００３２】
さらに、本実施形態の２液混合トリガー容器１０では、合流部１８の中空断面積（合流溝３４ｃの中空断面積）よりも、混合流路部１９の流路本体部１９ｂの中空断面積の方が小さくなっており、合流部１８（合流溝３４ｃ）と混合流路部１９（流路本体部１９ｂ）との間に段差部３５（図６参照）が形成されている。合流部１８と混合流路部１９との間に段差部３５が形成されていることにより、一度、第１剤と第２剤を正面からぶつけるように合流させ、その後、混合流路へ誘導することで、第１剤と第２剤を平行に合流させるよりも、第１剤と第２剤をさらに円滑に混合させて反応させることが可能になる。
【００３３】
そして、上述の構成を備える本実施形態の２液混合トリガー容器１０によれば、合流部１８及び混合流路部１９の内部に滞留する混合液の量を低減して、次に容器１０を使用する際に、混合されたばかりの混合液を、好ましくは引寄せ操作２回目から容易に吐出させることができると共に、混合液を、十分に混合し、反応させた状態で吐出することが可能になる。
【００３４】
すなわち、本実施形態の２液混合トリガー容器１０によれば、各々の単位容器１１ａ，１１ｂの送出し流路部１５の縦方向流路１６に送り出された内容液が、横方向流路１７に設けられた合流部１８で合流し、混合流路部１９で混合されてノズル部１４から吐出されるようになっており、各々の単位容器１１ａ，１１ｂの送出し流路部１５から合流部１８への流入口２０に、逆止弁２１が設けられている。
【００３５】
したがって、トリガー部１３の引寄せ操作を行って混合液をノズル部１４から吐出させた後に、トリガー部１３が板バネ部３０の弾性付勢力によって元の状態に戻されることで、シリンダー部２８や送出し流路部１５の内部が負圧になっても、送出し流路部１５から合流部１８への流入口２０が逆止弁２１によって閉塞されて、２液が合流して混合された混合液は、送出し流路部１５に逆流することなく、混合流路部１９や合流部１８にのみ残って滞留することになる。これによって、例えば前回の容器１０の使用時から今回の使用時までの間に相当の期間が経過して、混合流路部１９や合流部１８に残った混合液が反応することで劣化している場合でも、劣化した混合液を、例えば始めの１回目のトリガー部１３の引寄せ操作で容易に排出させることができるので、それ以降の引寄せ操作によって、混合されたばかりの混合液を、初期の段階から容易に吐出させることが可能になる。
【００３６】
また、２液を合流させる合流部１８は、送出し流路部１５の横方向流路１７に接続して設けられており、合流部１８やこれの下流側の混合流路部１９に、トリガー部１３による１回の引寄せ操作で送り出される内容液の容積の、例えば４０％以上の容積を容易に確保することができるので、各々の単位容器１１ａ，１１ｂの容器本体１２から、送出し流路部１５を介して送り出されて、合流部１８で合流された混合されたばかりの２液の混合液を、２液が反応することで優れた漂白機能等を効果的に発揮できる程度に十分に混合させた状態で、ノズル部１４から吐出させることが可能になる。
【００３７】
なお、本発明の２剤混合トリガー容器は、２体並設された単位容器の容器本体の各々に収容された、第１剤と第２剤が、上述のように、混合した状態で同時に保管すると分離、反応等が生じ、混合した状態で同時に保管することが困難な剤の組合せとなっている場合に、上述の作用効果が発揮されることになるため有効である。２体並設された単位容器の容器本体に、粘度の異なる内容液が第１剤と第２剤として収容されている場合でも、上述の作用効果が発揮されることになる。
【００３８】
本発明の２剤混合トリガー容器の容器本体の各々に収容される、第１剤と第２剤の好ましい組合せとして、以下に記載する組合せが上述の作用効果を発揮するのに好ましい。
【００３９】
＜組合せ１：２剤を混合した状態で同時に保管すると分離等が生じる例＞
２剤を同時に保存すると液分離や沈殿が生じて均一を保てない例として、油汚れに高洗浄性を発揮する低極性溶剤を、すすぎ・仕上がり性の良い水系配合したい場合、浴室や洗面所の石けんカスやキッチンやリビングの油性汚れに対して洗浄効果の高い低極性溶剤としては、Ｃ８〜Ｃ１６程度のノルマルパラフィン、リモネンなどの炭化水素系溶剤などがある。水系に単純配合すると相分離を起こし均一分散できない場合がある又、乳化、可溶化などの配合の工夫によって均一分散は達成できるが、均一分散できる低極性溶剤の量は限りがあるばかりか、乳化、可溶化では低極性溶剤本来の高洗浄力を損なってしまう。水系配合なので洗浄補助剤として通常の界面活性剤、キレート剤、アルカリ剤、水溶性溶剤なども併用できる。
残留させることで、光沢を付与してする水難溶成分を水系配合したい場合、床、家具用、車の外装、といった高い光沢が求められる場面に、シリコーンやワックス成分を配合する場合、単純配合では相分離を起こしたり、乳化剤の選択によっては他成分併存時の保存安定性が問題になる。この場合の水難溶性のシリコーンやワックス成分などを、液状原料のまま一方の容器に保持されてもよいし、安定な乳化物にして一方に保持されても良い。他方の容器に洗浄成分を含む組成物を保持してこの容器で吐出時に混合・噴霧すれば、保存安定性の問題を解決しながら、水難溶成分の効果（つやだし効果など）を得ることができる。
【００４０】
＜組合せ２：２剤を混合した状態で同時に保管すると有効成分が失活する例＞
２剤を同時に保存すると有効成分が反応して失活する例として、酸性では安定な過酸化水素を使用時にアルカリ条件にして漂白及び酸化洗浄に使用する場合、あるいは高アルカリ条件化では安定な次亜塩素酸ナトリウムを使用時にｐＨを下げることによって、高い漂白・酸化性能を得る場合、共存させると速やかに失活する過酸化水素と次亜塩素酸ナトリウムとを使用時に混合して発泡洗浄に用いる場合、さらには、アルカリ条件では加水分解が著しい過酸前駆体エステルを使用時にアルカリ条件化で過酸化水素と反応させ、有機過酸を生成させて強力漂白、殺菌に用いる場合などがある。
【００４１】
＜組合せ３：２剤それぞれでは低粘度で吐出可能だが混ぜると増粘する例＞
例えば、特定の活性剤の組み合わせに更に塩濃度が上昇することで構造粘性を示す場合、脂肪酸塩とアルキルアミンオキサイドを特定比率で含有する剤と塩を含む剤（それぞれ低粘度）とが吐出後に混合されることで増粘し、高付着性を示す場合などがある。
【００４２】
＜組合せ４：２剤それぞれでは液状だが混ぜると研磨・スクラブ効果を発現する例＞
例えば、水によく溶解するイオン性物質（活性剤や塩など）を吐出後にカウンターイオン交換させ難溶／不溶性の析出物を得ることで、微粒による研磨・スクラブ洗浄の効果を得ることができる場合や、イオン性ポリマーを高電解質濃度条件で溶解させておいたものを、吐出後に水で薄まるといった電解質濃度の低下を起こさせ不溶化させる（コアセルベーション）ことで、対象物への付着性を高める場合などがある。
【００４３】
前述した本発明の実施態様に関し、更に以下の付記（２液混合トリガー容器）を開示する。
【００４４】
＜１＞  内容液を収容した容器本体に内容液の送出し機構が取り付けられた単位容器が、２体並設されており、トリガー部の引寄せ操作によって各々の容器本体から送出し流路部を介して内容液を同時に送り出して、混合した後にノズル部から吐出させる２液混合トリガー容器であって、
各々の前記単位容器の前記送出し流路部の縦方向流路に送り出された内容液が、横方向流路に設けられた合流部で合流し、混合流路部で混合されてノズル部から吐出されるようになっており、
前記合流部は、基板部から背の低い円筒形状に突出する周壁部と、周壁部の先端面を閉塞する端面壁部と、端面壁部の中央部分に横長の合流溝を形成するコの字断面形状の溝壁部とからなる合流本体部を有し、
各々の前記単位容器の前記送出し流路部から前記合流部への流入口に、逆止弁が設けられている２液混合トリガー容器。
【００４５】
＜２＞  前記合流部は、前記横方向流路を接続スリーブ部に、前記横方向流路の先端と前記基板部の後面との間に隙間を保持した状態で接合させている＜１＞記載の２液混合トリガー容器。
＜３＞  各々の前記単位容器の前記送出し流路部の横方向流路は、断面積が異なる＜１＞又は＜２＞記載の２液混合トリガー容器。
＜４＞  各々の前記単位容器の前記送出し流路部の横方向流路は、異なる色相を有する＜１＞〜＜３＞のいずれか１項記載の２液混合トリガー容器。
【実施例】
【００４６】
以下実施例及び比較例により、本発明の２液混合トリガー容器をさらに詳細に説明するが、本発明はこれらに限定されるものではない。
【００４７】
図１に示す上記実施形態の２液混合トリガー容器１０と同様の構成を備えるトリガー容器を、実施例１の２液混合トリガー容器として用いて、合流部及び混合流路部の容積の合計を、混合流路部の長さを変化させることで変化させ、第１剤と第２剤の混合度合の変化を、「泡比容」を測定することによって評価した。合流部及び混合流路部の容積の合計が、トリガー部による１回の引寄せ操作で各々の送出し流路部を介して送り出される内容液の容積の合計に対して、容積比で２５％、４８％、６０％、８０％、及び１００％となるように混合流路部の長さを調製すると共に、各々の容積比について「泡比容」を測定した。評価結果を図９に○印で示す。
【００４８】
「泡比容」は、以下の方法によって測定した。すなわち、第１剤及び第２剤として、表１に示す組成の内容液を使用し、各内容液を、実施例１の２液混合トリガー容器の並設された２体の単位容器の容器本体に各々収容した。各々の単位容器に第１剤や第２剤を収容した２液混合トリガー容器を手に持って、室温下（２０〜２５℃）で、トリガー部の引寄せ操作を複数回繰り返することにより、混合液をノズル部から噴霧させて、第１剤と第２剤の混合液が混合流路部まで充填された状態とする。混合液が混合流路部まで充填された状態で、ノズル部をメスシリンダー内に向けて、２液混合トリガー容器のトリガー部の引寄せ操作を１０回繰り返すことで混合液を噴霧し、そのときに吐出された泡の体積及び混合液の吐出重量を測定した。測定した泡の体積を混合液の吐出重量で除した値を泡比容として算出した。
【００４９】
上述した、組合せ２における第１剤、第２剤の組合せを泡比容の測定に用いた。具体的には以下の組成物である。
第１剤；
３ｗｔ％ 過酸化水素水溶液
第２剤；
ラウリルジメチルアミンオキサイド        １ ｗｔ％
ラウリン酸ナトリウム                    １ ｗｔ％
ブチルジグリコール                      ５ ｗｔ％
水酸化ナトリウム                        ４ ｗｔ％
（イオン交換水等でバランス）
【００５０】
２液混合ではない従来の一般のトリガースプレーヤー容器であって、トリガー部の１回の引寄せ操作で吐出される内容液の容量が、実施例１の２液混合トリガー容器と同量となっている容器を、比較例１のトリガー容器とした。上述した組成の第１剤と第２剤とを、予めビーカー内で同容量ずつ混合させた混合液を、比較例１のトリガー容器の容器本体に収容して、混合から１分以内に、上述と同様の方法に従って、泡比容を算出して評価した。評価結果を図９に点線で示す。
【００５１】
図９に示す評価結果によれば、実施例１の２液混合トリガー容器において、合流部及び混合流路部の容積の合計が、トリガー部による１回の引寄せ操作で各々の送出し流路部を介して送り出される内容液の容積の合計に対して４０％以上である場合に、比較例１のトリガー容器を用いて、事前に混合した内容液を噴霧した場合とほぼ同等の泡比容を得ることができ、十分に第１剤と第２剤を混合して反応させることが可能になって、本発明による作用効果がより効果的に発揮されることが判明する。
【符号の説明】
【００５２】
１０  ２液混合トリガー容器
１１ａ  第１単位容器
１１ｂ  第２単位容器
１２  容器本体
１３  トリガー部
１４  ノズル部
１５  送出し流路部
１６  縦方向流路
１７  横方向流路
１８  合流部
１８ａ  基盤プレート部
１８ｂ  張出し支持部
１８ｃ  押えプレート
１８ｄ  接続スリーブ部
１９  混合流路部
１９ｂ  流路本体部
２０  流入口
２１  逆止弁
２２  トリガースプレーヤー
２３  カッター刃
２４  連結円筒部
２５  カバー体
２６  吸上げチューブ
２７  吸入バルブ
２８  シリンダー部
２９  天面部支持盤
３０  板バネ部
３１  ピストン部
３２  連通口
３３  スピンエレンメント部
３４  合流本体部
３４ｃ  合流溝
３４ｅ  略円形輪郭部分
３５  段差部
Ｘ    吐出方向
【図１】
2014129119.tif 000003
【図２】
2014129119.tif 000004
【図３】
2014129119.tif 000005
【図４】
2014129119.tif 000006
【図５】
2014129119.tif 000007
【図６】
2014129119.tif 000008
【図７】
2014129119.tif 000009
【図８】
2014129119.tif 000010
【図９】
2014129119.tif 000011